【手続補正書】
【提出日】平成19年1月24日(2007.1.24)
【手続補正１】
【補正対象書類名】特許請求の範囲
【補正対象項目名】全文
【補正方法】変更
【補正の内容】
【特許請求の範囲】
【請求項１】
撮像装置とプリンタとが直接通信し、前記撮像装置から前記プリンタに画像データを送信してプリントするプリントシステムであって、
前記プリンタは、
前記プリンタと前記撮像装置に実装されたアプリケーションによる通信手順の確立後、前記プリンタから前記撮像装置に前記プリンタが有している機能情報を送信する第１送信手段と、
前記撮像装置から、画像データと当該画像の特徴量に関する情報を受信する第１受信手段と、
前記第１受信手段により受信された画像データを、前記特徴量に基づいて補正する補正手段とを有し、
前記撮像装置は、
前記プリンタから前記機能情報を受信する第２受信手段と、
撮像された画像を解析して、当該画像の特徴量を抽出する特徴量抽出手段と、
前記第２受信手段により受信された前記機能情報に基づいて、前記特徴量抽出手段によって抽出された特徴量に関する情報を前記プリンタに送信する第２送信手段と
を有することを特徴とするプリントシステム。
【請求項２】
前記撮像装置は、さらに、前記プリンタへ送信すべき画像を指定する指定手段を有し、前記第２送信手段は、前記指定手段により指定された画像を指定する情報とともに前記特徴量に関する情報を送信することを特徴とする請求項１に記載のプリントシステム。
【請求項３】
前記第２送信手段は、前記第２受信手段により受信された前記機能情報に応じた種類の特徴量を送信することを特徴とする請求項１又は２に記載のプリントシステム。
【請求項４】
前記特徴量抽出手段は、撮像画像の明度、彩度、色相に関するヒストグラムを生成することを特徴とする請求項１に記載のプリントシステム。
【請求項５】
前記プリンタは、前記第１受信手段により受信された画像データより画像の第２の特徴量を抽出する第２の特徴量抽出手段と
前記撮像装置から受信した第１の当該画像の特徴量に関する情報、および、前記第２の特徴量抽出手段で抽出した第２の当該画像の特徴量に関する情報のうち、少なくとも一つの当該画像の特徴量に基づき、前記第１受信手段により受信された画像データを、補正する補正手段と
を有することを特徴とする請求項１に記載のプリントシステム。
【請求項６】
前記撮像装置は、前記特徴量抽出手段により抽出された特徴量に関する情報を、ファイル化してメモリに記録する記録手段を有することを特徴とする請求項１に記載のプリントシステム。
【請求項７】
前記撮像装置は、印刷すべき画像を指定するためのプリントジョブを前記プリンタに送信するジョブ送信手段を有し、
前記プリントジョブには、印刷すべき画像の情報と共に、前記記録手段によりメモリに記録された、ファイル化された特徴量に関する情報が指定されていることを特徴とする請求項６に記載のプリントシステム。
【請求項８】
前記プリンタは、前記プリントジョブを受信するジョブ受信手段を有し、
前記第１受信手段は、前記プリントジョブで特徴量に関する情報が指定されている場合は、画像データよりも先に当該画像の特徴量に関する情報を受信することを特徴とする請求項７に記載のプリントシステム。
【請求項９】
撮像装置とプリンタとが直接通信し、前記撮像装置から前記プリンタに画像データを送信してプリントするプリントシステムの制御方法であって、
前記プリンタと前記撮像装置に実装されたアプリケーションによる通信手順の確立後、前記プリンタから前記撮像装置に前記プリンタが有している機能情報を送信する第１送信工程と、
前記撮像装置が、撮像された画像を解析して、当該画像の特徴量を抽出する特徴量抽出工程と、
前記撮像装置が、前記第１送信工程により受信された前記機能情報に基づいて、前記特徴量抽出工程で抽出された特徴量に関する情報を前記プリンタに送信する第２送信工程と、
前記プリンタが、前記第２の送信工程により送信された画像データを、前記特徴量に基づいて補正する補正工程と
を有することを特徴とするプリントシステムの制御方法。
【請求項１０】
前記第２送信工程は、前記機能情報に応じた種類の特徴量を送信することを特徴とする請求項９に記載のプリントシステムの制御方法。
【請求項１１】
前記撮像装置は、前記特徴量抽出工程により抽出された特徴量を、ファイル化してメモリに記録する記録工程を有することを特徴とする請求項９に記載のプリントシステムの制御方法。
【請求項１２】
前記撮像装置は、印刷すべき画像を指定するためのプリントジョブを前記プリンタに送信するジョブ送信工程を有し、
前記プリントジョブには、印刷すべき画像の情報と共に、前記記録工程によりメモリに記録された、ファイル化された特徴量に関する情報が指定されていることを特徴とする請求項１１に記載のプリントシステムの制御方法。
【請求項１３】
前記プリンタは、前記プリントジョブを受信するジョブ受信工程を有し、
前記プリンタは、前記プリントジョブで特徴量に関する情報が指定されている場合は、画像データよりも先に当該画像の特徴量に関する情報を受信することを特徴とする請求項１２に記載のプリントシステムの制御方法。
【請求項１４】
撮像装置と直接通信するプリンタであって、
前記撮像装置との通信の確立後、前記撮像装置に前記プリンタが有している機能情報を送信する送信手段と、
画像データと、前記撮像装置で前記画像データを解析して得られた前記画像データの特徴量に関する情報を、前記撮像装置から受信する受信手段と、
前記受信手段により受信された画像データを前記特徴量に関する情報を用いて補正した画像をプリントするプリント手段と
を有することを特徴とするプリンタ。
【請求項１５】
前記特徴量には、撮像画像の明度、彩度、色相のヒストグラムの少なくとも１つが含まれることを特徴とする請求項１４に記載のプリンタ。
【請求項１６】
更に、印刷すべき画像を指定するためのプリントジョブを受信するジョブ受信手段を有し、
前記プリントジョブで特徴量に関する情報が指定されている場合は、画像データよりも先に当該画像の特徴量に関する情報を受信することを特徴とする請求項１４に記載のプリンタ。
【請求項１７】
前記受信手段は、前記送信手段により送信した前記機能情報に応じた種類の特徴量を受信することを特徴とする請求項１４に記載のプリンタ。
【請求項１８】
撮像装置と直接通信するプリンタの制御方法であって、
前記撮像装置との通信の確立後、前記撮像装置に前記プリンタが有している機能情報を送信する送信工程と、
画像データと、前記撮像装置で前記画像データを解析して得られた前記画像データの特徴量に関する情報を、前記撮像装置から受信する受信工程と、
前記受信工程により受信された画像データを前記特徴量に関する情報を用いて補正した画像をプリントするプリント工程と
を有する事を特徴とするプリンタの制御方法。
【請求項１９】
更に、印刷すべき画像を指定するためのプリントジョブを受信するジョブ受信工程を有し、
前記プリントジョブで特徴量に関する情報が指定されている場合は、画像データよりも先に当該画像の特徴量に関する情報を受信することを特徴とする請求項１８に記載のプリンタの制御方法。
【請求項２０】
プリンタと直接通信する撮像装置であって、
前記プリンタとの通信の確立後、前記プリンタが有している機能情報を受信する受信手段と、
撮像された画像を解析して、当該画像の特徴量を抽出する特徴量抽出手段と、
画像データと、前記特徴量抽出手段により抽出された特徴量に関する情報とを、前記プリンタに送信する送信手段と
を有することを特徴とする撮像装置。
【請求項２１】
前記送信手段は、前記機能情報に応じた種類の特徴量を送信することを特徴とする請求項２０に記載の撮像装置。
【請求項２２】
前記特徴量抽出手段は、撮像画像の明度、彩度、色相に関するヒストグラムを生成することを特徴とする請求項２０に記載の撮像装置。
【請求項２３】
更に、撮像手段と、撮像により得られた画像データを記録媒体に記録する記録手段とを有し、
前記特徴量抽出手段は、画像撮像時に特徴量を抽出して、前記画像データとともに前記記録媒体に前記特徴量に関する情報を記録し、
前記送信手段は、前記記録媒体に記録されている特徴量のうちのいずれかを、前記機能情報に応じて選択して送信する
ことを特徴とする請求項２０に記載の撮像装置。
【請求項２４】
更に、前記特徴量抽出手段により抽出された特徴量を、ファイル化してメモリに記録する記録手段を有することを特徴とする請求項２０に記載の撮像装置。
【請求項２５】
更に、印刷すべき画像を指定するためのプリントジョブを前記プリンタに送信するジョブ送信手段を有し、
前記プリントジョブには、印刷すべき画像の情報と共に、前記記録手段によりメモリに記録された、ファイル化された特徴量に関する情報が指定されていることを特徴とする請求項２４に記載の撮像装置。
【請求項２６】
プリンタと直接通信する撮像装置の制御方法であって、
前記プリンタとの通信の確立後、前記プリンタが有している機能情報を受信する受信工程と、
撮像された画像を解析して、当該画像の特徴量を抽出する特徴量抽出工程と、
画像データと、前記特徴量抽出工程により抽出された特徴量に関する情報とを、前記プリンタに送信する送信工程と
を有することを特徴とする撮像装置の制御方法。
【請求項２７】
前記送信工程は、前記機能情報に応じた種類の特徴量を送信することを特徴とする請求項２６に記載の撮像装置の制御方法。
【請求項２８】
前記撮像装置は、撮像手段と、撮像により得られた画像データを記録媒体に記録する記録手段とを有し、
前記特徴量抽出工程は、画像撮像時に特徴量を抽出して、前記画像データとともに前記記録媒体に前記特徴量に関する情報を記録し、前記送信工程は、前記記録媒体に記録されている特徴量のうちのいずれかを、前記機能情報に応じて選択して送信する事を特徴とする請求項２６に記載の撮像装置の制御方法。
【請求項２９】
更に、前記特徴量抽出工程により抽出された特徴量を、ファイル化してメモリに記録する記録工程を有することを特徴とする請求項２６に記載の撮像装置の制御方法。
【請求項３０】
更に、印刷すべき画像を指定するためのプリントジョブを前記プリンタに送信するジョブ送信工程を有し、
前記プリントジョブには、印刷すべき画像の情報と共に、前記記録手段によりメモリに記録された、ファイル化された特徴量に関する情報が指定されていることを特徴とする請求項２９に記載の撮像装置の制御方法。
【手続補正２】
【補正対象書類名】明細書
【補正対象項目名】発明の名称
【補正方法】変更
【補正の内容】
【発明の名称】プリントシステム及びその制御方法、プリンタ及びその制御方法、撮像装置及びその制御方法
【手続補正３】
【補正対象書類名】明細書
【補正対象項目名】００１４
【補正方法】変更
【補正の内容】
【００１４】
かかる課題を解決するため、本発明のプリントシステムは以下の構成を備える。すなわち、
撮像装置とプリンタとが直接通信し、前記撮像装置から前記プリンタに画像データを送信してプリントするプリントシステムであって、
前記プリンタは、
前記プリンタと前記撮像装置に実装されたアプリケーションによる通信手順の確立後、前記プリンタから前記撮像装置に前記プリンタが有している機能情報を送信する第１送信手段と、
前記撮像装置から、画像データと当該画像の特徴量に関する情報を受信する第１受信手段と、
前記第１受信手段により受信された画像データを、前記特徴量に基づいて補正する補正手段とを有し、
前記撮像装置は、
前記プリンタから前記機能情報を受信する第２受信手段と、
撮像された画像を解析して、当該画像の特徴量を抽出する特徴量抽出手段と、
前記第２受信手段により受信された前記機能情報に基づいて、前記特徴量抽出手段によって抽出された特徴量に関する情報を前記プリンタに送信する第２送信手段とを有する。